(57)【特許請求の範囲】
【請求項１】
扉枠の出入口を開閉するドアのシール装置において、前記扉枠の上枠および一対の竪枠の内面に上記ドアの内面外周部と対向するシール枠を取付け、そのシール枠に形成されてシール枠の長さ方向に延び、ドアと対向する面で開口する案内溝内に、その案内溝の長さ方向に長いシール支持体を組込み、このシール支持体の内面および外面には案内溝の内側面に接触する側面シール部材を取付け、シール支持体のドアと対向する面には、シール支持体の長さ方向に延びる２本のシール部材を取付け、その２本のシール部材のうち、内側シール部材にはドアの内面に先端部が弾性接触する外向き傾斜リップを設け、外側シール部材には上記外向き傾斜リップの屋内面側に先端部が弾性接触する内向き傾斜リップを形成し、前記シール支持体には２本のシール部材間に、シール支持体の屋内・外面に貫通する複数のねじ孔を設け、各ねじ孔にねじ係合され、２本のシール部材間から回動操作される調整ねじの先端部をシール枠内に取付けられた固定座で回転自在に支持したことを特徴とするドアのシール装置。
【発明の詳細な説明】
【０００１】
【発明の属する技術分野】
この発明は、ドアのシール装置に関するものである。
【０００２】
【従来の技術】
この種、従来のシール装置として、図６に示したものが知られている。このシール装置は、扉枠３０の内面にシール枠３１を取付け、そのシール枠３１のドア３２と対向する面で開口する案内溝３３内にシール支持体３４を組込み、そのシール支持体３４の内・外面に側面シール部材３５を取付け、各側面シール部材３５を案内溝３３の内側面に接触させてシール支持体３４と案内溝３３の内側面間をシールしている。
【０００３】
また、シール支持体３４のドア３２と対向する面にチューブ状のシール部材３６を取付け、そのシール部材３６をドア３２の内面に接触させてシール部材３６とドア３２間をシールしている。
【０００４】
上記シール装置においては、扉枠３０の組立て精度や、シール枠３１の取付け精度、あるいはドア３２の反り等により、チューブ状シール部材３６が全長にわたってドア３２と均一に接触しない場合が多い。このため、シール支持体３４の屋内面に複数の調整ねじ３７をねじ込み、その調整ねじ３７をシール枠３１で回転自在に支持し、上記調整ねじ３７の回転により、シール支持体３４をドア３２に対して移動させ、ドア３２に対するシール部材３６の接触圧力を調整し得るようにしている。
【０００５】
【発明が解決しようとする課題】
ところで、上記従来のシール装置においては、扉枠３０にシール枠３１の屋内面を覆う部分が有ると、調整ねじ３７を回動させることができず、無い場合にはドア回りの収まりが悪いため、断面Ｌ形の化粧枠３８を着脱自在に取付けてシール枠３１を覆うようにしている。
【０００６】
このため、シール部材３６の接触圧力の都度、化粧枠３８を取外す必要が生じ、調整に非常に手間がかかるという不都合がある。
【０００７】
この発明の課題は、ドアに対する接触によってドア間をシールするシール部材の接触圧力の調整が簡単に行なえるドアのシール装置を提供することである。
【０００８】
【課題を解決するための手段】
上記の課題を解決するために、この発明においては、扉枠の出入口を開閉するドアのシール装置において、前記扉枠の上枠および一対の竪枠の内面に上記ドアの内面外周部と対向するシール枠を取付け、そのシール枠に形成されてシール枠の長さ方向に延び、ドアと対向する面で開口する案内溝内に、その案内溝の長さ方向に長いシール支持体を組込み、このシール支持体の内面および外面には案内溝の内側面に接触する側面シール部材を取付け、シール支持体のドアと対向する面には、シール支持体の長さ方向に延びる２本のシール部材を取付け、その２本のシール部材のうち、内側シール部材にはドアの内面に先端部が弾性接触する外向き傾斜リップを設け、外側シール部材には上記外向き傾斜リップの屋内面側に先端部が弾性接触する内向き傾斜リップを形成し、前記シール支持体には２本のシール部材間に、シール支持体の屋内・外面に貫通する複数のねじ孔を設け、各ねじ孔にねじ係合され、２本のシール部材間から回動操作される調整ねじの先端部をシール枠内に取付けられた固定座で回転自在に支持した構成を採用している。
【０００９】
【発明の実施の形態】
以下、この発明の実施の形態を図１乃至図５に基づいて説明する。
【００１０】
図１に示すように、扉枠１の出入口２を覆うドア３は、一側部に取付けたヒンジ４を中心として開閉自在に支持されている。
【００１１】
扉枠１の上枠５および一対の竪枠６には、内方に張り出してドア３の屋内面外周部と対向する膨出部７が設けられている。
【００１２】
図２および図３に示すように、上記膨出部７は、ドア３の屋内面に対して距離が異なる第１表面８および第２表面９と、両表面８、９間に設けられた枠取付面１０とを有し、上記枠取付面１０にシール枠１１が取付ねじ１２の締付けにより固定されている。
【００１３】
シール枠１１は対応する枠の長手方向に長く延びている。このシール枠１１は、屋外面側で開口する案内溝１３を有し、その案内溝１３間にシール枠１１の長手方向に延びるシール支持体１４が組込まれている。
【００１４】
シール支持体１４の内面および外面には側面シール部材１５が取付けられ、そのシール部材１５は案内溝１３の内側面と接触してその間をシールしている。
【００１５】
また、シール支持体１４のドア３と対向する屋外面に、そのシール支持体１４の長さ方向に延びる２本のシール溝１６が形成され、内側のシール溝１６に内側シール部材１７の基部が挿入されている。また、外側のシール溝１６に外側シール部材１８の基部が挿入されている。
【００１６】
内側シール部材１７は、外側シール部材１８より厚肉とされ、その内側シール部材１７に外向き傾斜リップ１９が設けられている。この外向き傾斜リップ１９はドア３を閉じたとき、そのドア３の内面外周部に弾性接触してドア間をシールする。
【００１７】
外側シール部材１８には、上記外向き傾斜リップ１９の屋内面側に先端部が弾性接触する内向き傾斜リップ２０が設けられている。
【００１８】
前記シール支持体１４には、２本のシール溝１６間に、シール支持体１４の屋内・外面に貫通する複数のねじ孔２１がシール支持体１４の長さ方向に複数形成され、各ねじ孔２１に調整ねじ２２がねじ係合されている。
【００１９】
調整ねじ２２は、図４に示すように、内側シール部材１７と外側シール部材１８間に位置する一端面に角孔２３が設けられ、他端部は固定座２４によって回転自在に支持されている。
【００２０】
図２および図３に示すように、固定座２４は案内溝１３の内面に設けた一対のリブ２５によって案内溝１３の開口側に向けて移動するのが防止されている。また、固定座２４はシール枠１１の外面側からねじ込んだ取付ねじ２６の締付けにより固定されている。
【００２１】
いま、ドア３を閉じると、内側シール部材１７の外向き傾斜リップ１９がドア３で押されて屋内側に変形し、その復元弾性によってドア３の屋内面外周部に強く接触すると共に、内側シール部材１７の外向き傾斜リップ１９の弾性変形により外側シール部材１８の内向き傾斜リップ２０の先端部が外向き傾斜リップ１９に強く弾性接触する。
【００２２】
このため、外向き傾斜リップ１９は自己の復元弾力と内向き傾斜リップ２０の弾力とによってドア３と接触することになり、ドア３間をきわめて良好にシールする。
【００２３】
ここで、ドア３に反りが生じ、あるいは扉枠１に歪みが生じると、内側シール部材１７のドア３に対する接触圧力、および内側シール部材１７と外側シール部材１８の接触圧力が不均一になり、シール性が低下し、接触圧力の調整が必要とされる。
【００２４】
上記接触圧力の調整に際しては、図５に示すように、ドア３を開放し、内側シール部材１７と外側シール部材１８間に角形レンチＡを挿入して調整ねじ２２の角孔２３に係合し、上記調整ねじ２２の回動によりシール支持体１４を屋外方向に移動させる。
【００２５】
【発明の効果】
以上のように、この発明においては、内側シール部材と外側シール部材間より調整ねじを回動操作することができるため、内側シール部材のドアに対する接触圧力をきわめて簡単に調整することができる。
【００２６】
また内側シール部材の外向き傾斜リップは自己の弾力と、外側シール部材の内向き傾斜リップの弾力とによってドアに圧接するため、単一のシール部材をドアに圧接させる場合に比較して、きわめて良好なシール性を発揮させることができる。
【図面の簡単な説明】
【図１】この発明に係るシール装置の実施の形態を示す一部切欠正面図
【図２】図１のＩＩ−ＩＩ線に沿った断面図
【図３】図２のＩＩＩ  −ＩＩＩ  線に沿った断面図
【図４】同上のシール枠を示す一部切欠斜視図
【図５】同上シール部材の接触圧力の調整状態を示す断面図
【図６】従来のシール装置を示す断面図
【符号の説明】
１  扉枠
２  出入口
３  ドア
５  上枠
６  竪枠
１１  シール枠
１３  案内溝
１４  シール支持体
１７  内側シール部材
１８  外側シール部材
１９  外向き傾斜リップ
２０  内向き傾斜リップ
２１  ねじ孔
２２  調整ねじ
２４  固定座
【図１】
0003609502.tif 000002
【図２】
0003609502.tif 000003
【図３】
0003609502.tif 000004
【図４】
0003609502.tif 000005
【図５】
0003609502.tif 000006
【図６】
0003609502.tif 000007